(57)【特許請求の範囲】
【請求項１】
前面，背面及び上面を有し、下方及び左右方向が開放された略四角形の固定枠と、前記前面を構成する前面体及び背面を構成する背面体の内側に、互いに対峙して配置し、少なくとも一方が前後方向に移動可能な圧接板と、前記前面体或いは上面のうち少なくとも前面体に立設されるアンテナ取付用のマストとから成り、
前記固定枠をパラペットに覆設した状態で、前記圧接板によりパラペットを狭持して前記固定枠を設置固定し、
前記前面体に立設されるマストは、前面体に設けた複数の支持手段により複数箇所支持され、更にその下端は床面上に配置した支持板に支持されて成ることを特徴とするアンテナ取付装置。
【請求項２】
前面体に配置した圧接板は、前面体に螺入した１本のボルトにより前後方向に移動可能であって、固定枠に設けた回転阻止手段により回転することなく移動可能である請求項１記載のアンテナ取付装置。
【発明の詳細な説明】
【０００１】
【発明の属する技術分野】
本発明は、衛星信号や地上波信号を受信或いは送信するアンテナを支持するアンテナ取付装置に関し、詳しくはビル上部に形成されたパラペットを利用してアンテナを設置するアンテナ取付装置に関する。
【０００２】
【従来の技術】
ビル等の建造物の屋上にアンテナを設置しようとした場合、通常屋上には一面に防水シートが敷設されているため、床面にアンテナを固定するためのアンカーを打ち込む孔開け工事をすると、その防水シートが破壊されて雨漏りの原因となってしまう。そのため、アンカーボルト等を打ち込むことができない。
そこで、アンカーボルトを使用しない例えば特開昭６０−８９１０２号公報に開示された構成のアンテナ支持装置が利用されている。これは、パラボラアンテナを装着するマストの下部にコンクリートブロック等の重りを載置可能な枠体から成る基台を設けたもので、その基台上に重りを載置してマストを床面にアンカー等を打ち込むことなく固定可能としている。
【０００３】
【発明が解決しようとする課題】
ところで、近年、通信ニーズの増大と通信技術の発展に伴い、通信衛星を利用した情報提供及びその受信システムが利用され始めている。これは地上に大がかりなインフラを整備しなくとも広範囲なエリアに対して情報を提供できることにある。しかし、このような衛星を利用したシステムは、衛星からの電波が例えば１２ＧＨｚと高周波であるため直進性が高く、例えば高層ビルの陰になった地域では受信できない不感エリアが形成される問題点がある。
【０００４】
この対策として、衛星信号を受信する第１のアンテナをビルの屋上等に設置すると共に、再送信する第２のアンテナを受信できないエリアに向けて設置して電波として再送信するギャップフィラーが提案され、このギャップフィラー装置は安価に形成することが可能であるし、移動体に対しても有効であるため、利用が検討されている。
【０００５】
しかし、そのようなギャップフィラーを実施する場合、衛星信号を受信する第１のアンテナは上記特開昭６０−８９１０２号公報のアンテナ支持装置によりビルの屋上に設置することは可能であるが、再送信する第２のアンテナは単にビルの屋上に設置するだけでは不感エリアの解消には効果が無く、不感エリアに向けて電波を送出することができるように、ビルの側面或いは側方に突出する位置に設けなければならず、アンテナの設置に上記重りを使用する方法が利用できず面倒なものとなっていた。
【０００６】
例えば、既に建設されたビル外壁への設置或いは屋上からビル側方へ突出させる形態が考えられるが、外壁への設置は建築基準や安全の点で難しいし、屋上から側方へ突出させる形態は、アンテナ支持部材を床面にアンカーで固定することができないため、パラペットの内側にボルト止めするなど複雑な構造となってしまう。
また、再送信するための電波を受信する衛星受信アンテナの設置に関しても、アンカーを屋上に打ち込む必要はないが、重り等を運び込む必要があり、作業者の負担となっていた。
【０００７】
そこで、本発明は上記問題点に鑑み、１つ或いは複数のアンテナをビル上部に容易に設置することが可能なアンテナ取付装置を提供することを課題とする。
【０００８】
【課題を解決するための手段】
上記課題を解決するため、請求項１の発明の発明は、前面，背面及び上面を有し、下方及び左右方向が開放された略四角形の固定枠と、前記前面を構成する前面体及び背面を構成する背面体の内側に、互いに対峙して配置し、少なくとも一方が前後方向に移動可能な圧接板と、前記前面体或いは上面のうち少なくとも前面体に立設されるアンテナ取付用のマストとから成り、前記固定枠をパラペットに覆設した状態で、前記圧接板によりパラペットを狭持して前記固定枠を設置固定し、前記前面体に立設されるマストは、前面体に設けた複数の支持手段により複数箇所支持され、更にその下端は床面上に配置した支持板に支持されて成ることを特徴とする。
【００１１】
請求項２の発明は、請求項１の発明において、前面体に配置した圧接板は、前面体に螺入した１本のボルトにより前後方向に移動可能であって、固定枠に設けた回転阻止手段により回転することなく移動可能であることを特徴とする。
【００１２】
【発明の実施の形態】
以下、本発明を具体化した実施の形態を、図面に基づいて詳細に説明する。図１は本発明に係るアンテナ取付装置の１例を示す斜視図であり、図２は図１のアンテナ取付装置をパラペットに設置した状態の縦断面図を示している。図において１は固定枠、２は圧接板、３は第１のマスト、４は第２のマストである。
【００１３】
固定枠１は金属製角材をコ字状に接合して形成した２個の枠体５（５ａ，５ｂ）を、開放部を下に向けると共に前後方向に向けて左右に配置して、双方を前面側（図示左側）２箇所、背面側１箇所で横長い連結片６ａ，６ｂ，６ｃにより連結して前面体１ａ及び背面体１ｂを形成している。そして、前面に設けられた上下２本の連結片６ａ，６ｂには、アンテナを装着するための第１のマスト３を立設する第１マスト立設部８が形成されている。
固定枠１の背部に設けられた連結片６ｃの上面には第２のマスト４を立設する第２マスト立設部１１が形成され、枠体５の下部４箇所にはパラペット１０を狭持するための圧接板２（２ａ，２ａ，２ｂ，２ｂ）が前後方向に対向して設けられている。
【００１４】
前面側に形成した第１マスト立設部８は、２本の連結片６ａ，６ｂの中央に設けた略Ｕ字状の凹部を有するマスト保持部１３と、前方からボルト１４によりそのマスト保持部１３に第１のマスト３を押圧して狭持固定する狭持部材１５とから成り、マスト保持部１３にはボルト１４を螺入する螺入孔１３ａが形成されている。
また、第１マスト立設部８を手前に、即ち屋上側に向けて固定枠を設置すれば、第１のマスト３の下端を床面３０で支持させて更に安定させることができ、図３に示すように床面３にマストを挿入支持する筒体２５ａを立設した支持板２５を配置することで、マスト下端を挿入支持させることもできる。尚、第１マスト立設部はマスト保持部を上下２箇所設けているが、連結片を追加して更に増やしても良いく、その場合、連結片を前面を覆う板体としても良い。
【００１５】
固定枠１の上面に形成した第２マスト立設部１１は、連結片６ｃ上部の左右２箇所に設けられたねじ孔１６、１６から成り、図４の第２のマスト装着図に示すように、マスト基端部に横長い立設板１８が固着され、その立設板１８に２個のボルト挿通孔１８ａが形成され、２本のボルト１９により立設板を連結片６ｃに組み付け、第２のアンテナ２７の取り付けを可能としている。
【００１６】
前面側圧接板２ａは、裏面中央にボルト当接用の凹部２０が形成され、左右枠体５の下部に設けたねじ孔に螺入されたボルト２１の先端がその凹部２０に埋入され、圧接板２の押圧動作を安定して可能となっている。また、枠体５底部にはボルト２１の回転に連動して圧接板２が回転するのを阻止するための板状の阻止板２２が設けられ、Ｌ字状に折り曲げて形成した先端係止片２２ａが圧接板２ａ下部に設けた係止孔に係止し、阻止板２２は圧接板２ａと共に前後動するように遊設されている。そして、背面側圧接板２ｂは、前面側圧接板に対向する位置で固着されている。
また、全ての圧接板２の当接面には被狭持体を破損しないようにゴム材から成る緩衝材２３が全面に貼設されている。
このように、圧接板はボルトによる１点締めのため、力を集中でき安定した圧接力を得ることができるし、回転阻止手段として阻止板を有するので圧接操作中圧接板が回転する事が無く、圧接操作を容易に行うことができる。
【００１７】
次にこの固定枠設置手順の１例を説明する。まず、ボルト２１を操作して対向する圧接板２の間隔を設置するパラペットの厚みより十分広く開き、前面側を手前に即ち屋上側に第１マスト立設部を配置して固定枠１の下部開放部にパラペットを挿入するように上方からパラペットに被せる。具体的には、ボルト２１を前面側圧接板２ａの厚みとパラペットの厚みを考慮して螺入し、阻止板２２の先端を圧接板２ａに挿入して係止させ、圧接板２ａの凹部２０にボルト２１の先端を挿入する。
そして、前面側圧接板２ａをボルト２１を操作してパラペット側へ押し出し、背部圧接板２ｂと共にパラペットを狭持する。こうして、固定枠１はパラペットに装着される。
【００１８】
その後、マストを装着する。マストは第２のマスト４、第１のマスト３の順に装着すると作業し易い。尚、予めマストを固定枠１に装着してから固定枠１をパラペットに被せても良い。そして、最後にアンテナをマストに取り付ける。
アンテナの取り付けは、例えばパラボラアンテナ等の受信アンテナのみ設置する場合は、図３に示すように所定位置に固定した固定枠１に第１のマスト３のみ装着し、そのマスト３にパラボラアンテナ２６を取り付ければよい。
【００１９】
また、受信アンテナとその受信電波の再送信アンテナというように２個のアンテナを設置していわゆるギャップフィラー装置を構成する場合は、所定位置に固定した固定枠１に第１，第２のマスト３，４を装着し、第１マスト３に受信アンテナ、第２マスト４に送信アンテナを取り付ければ良く、こうすることで、第２のマスト４に取り付けた送信アンテナは図２に示すようにビル壁面と同一面か、或いは壁面から突出させて設置することができるので、衛星電波の届きにくいビル背部に電波を送出させることができ、ギャップフィラー機能を十分発揮することができる。
尚、ギャップフィラー等で使用する送信アンテナは比較的小型であるため、図４に示すように第２のマスト４に同時に複数設けることも可能である。
【００２０】
このように、固定枠をパラペットに装着してアンテナを設置するものであるから、重りやその載置台等の重量物や大型の部材を運び込む必要がなく、作業者の負担を軽減することができるし、アンカーボルトを使用しないので、床面やパラペットに穴開け工事等する必要が無く、屋上の防水構造が劣化することもない。また、第１マストの支持はマストの途中を支持するし、さらにマスト下端部を支持することもできるので、パラボラアンテナのような大きな支持強度を必要とするアンテナであっても安定して固定することができる。
【００２１】
尚、上記実施の形態の固定枠は連結片により左右の枠体を連結一体化したものであるが、枠体と連結片とを別体として搬入し、アンテナ設置現場でボルト止め等で連結しても良い。また、第２のマスト立設部を背部枠体の上部に形成しているが、例えば上面の中央に枠体或いは板を配置して、そこに設けることもできる。
【００２２】
【発明の効果】
以上詳述したように、請求項１の発明によれば、アンカーボルトを屋上に打ち込む必要がないので防水構造が劣化することがなく、重りを載置する作業も必要もないので、重りの搬入等の必要が無く、設置作業がし易い。また、パラペットを狭持する簡単な操作だけで、２個のアンテナのうち少なくとも１個のアンテナを取り付けることが可能なので、ギャップフィラー装置を実施する事も容易である。
【００２３】
また、前面体に立設されるマストは、複数の支持手段により途中が支持されるので、比較的長いマストであっても容易に支持することができる。
【００２４】
更に、マストの下端部も床面上に配置された支持板に支持されるので、マストの支持を更に堅牢ものとすることができ、パラボラアンテナのような風の抵抗を受けやすいアンテナであっても、無理なく取り付けることができる。
【００２５】
請求項２の発明によれば、請求項１の効果に加えて、圧接板を移動する際に回転することが無いので圧接操作し易いし、ボルトによる１点締めのため圧接力が集中するし、圧接作業をし易い。
【図面の簡単な説明】
【図１】本発明の実施の形態の１例を示すアンテナ取付装置の斜視図である。
【図２】（ａ）は図１のアンテナ取付装置をパラペットに装着した状態の縦断面図であり、（ｂ）はそのＡ部拡大図である。
【図３】図１のアンテナ取付装置に衛星受信アンテナを取り付ける様子を示す斜視図である。
【図４】図１のアンテナ取付装置に送信アンテナを取り付ける様子を示す斜視図である。
【符号の説明】
１・・固定枠、１ａ・・前面体、１ｂ・・背面体、２，２ａ，２ｂ・・圧接板、３・・第１のマスト、４・・第２のマスト、５・・枠体、６・・連結片、８・・第１マスト立設部、１０・・パラペット、１１・・第２マスト立設部、１３・・マスト保持部、１５・・狭持部材、２２・・阻止板，２２ａ・・係止片、２５・・支持板。
【図１】
0004170553.tif 000002
【図２】
0004170553.tif 000003
【図３】
0004170553.tif 000004
【図４】
0004170553.tif 000005